(57)【要約】【課題】  生体の管状組織に適用され、管状組織の内壁に堆積された血栓部を除去するための医療用の光ファイバ、光ファイバ装置及びバンドルファイバを提供する。【解決手段】  生体内の管状組織１５に挿入可能な光ファイバ２０であって、ガラスコア層１１と、ガラスコア層１１を被覆する被覆コア層１２と、被覆コア層１２を被覆し、かつ光ファイバ２０の長手方向において複数の開口部２３を備えるクラッド層１３とを備え、光ファイバ２０の長手方向において開口部２３の幅は、光ファイバ２０の入口部分において狭く、入口部分から光ファイバ２０の長手方向において離隔するにしたがって、広く形成される光ファイバ及びその光ファイバを適用する光ファイバ装置及びその光ファイバを複数本バンドル化したバンドルファイバ。【選択図】図７
2008194084.tif 000002
【特許請求の範囲】
【請求項１】
生体内の管状組織に挿入可能な光ファイバであって、
ガラスコア層と、
前記ガラスコア層を被覆する被覆コア層と、
前記被覆コア層を被覆し、かつ前記光ファイバの長手方向において複数の開口部を備えるクラッド層
とを備え、前記光ファイバの長手方向において前記開口部の幅は、前記光ファイバの入口部分において狭く、前記入口部分から前記光ファイバの長手方向において離隔するにしたがって、広く形成されることを特徴とする光ファイバ。
【請求項２】
生体内の管状組織に挿入可能な光ファイバであって、
ガラスコア層と、
前記ガラスコア層を被覆する被覆コア層と、
前記被覆コア層を被覆し、前記光ファイバの長手方向において一定幅を有する複数の開口部を備えるクラッド層
とを備え、前記開口部の配置密度は、前記光ファイバの入口部分から前記光ファイバの長手方向において離隔するにしたがって増加することを特徴とする光ファイバ。
【請求項３】
前記開口部は、ノッチ形状を有することを特徴とする請求項１又は２記載の光ファイバ。
【請求項４】
前記開口部は、リング形状を有することを特徴とする請求項１又は２記載の光ファイバ。
【請求項５】
生体内の管状組織に挿入可能な光ファイバであって、
ガラスコア層と、
前記ガラスコア層を被覆する被覆コア層と、
前記被覆コア層を被覆し、かつ前記光ファイバの長手方向において螺旋状の開口部を備えるクラッド層
とを備え、前記開口部の配置密度は、前記光ファイバの入口部分から前記光ファイバの長手方向において離隔するにしたがって増加することを特徴とする光ファイバ。
【請求項６】
前記開口部は、ノッチ形状を有することを特徴とする請求項５記載の光ファイバ。
【請求項７】
前記開口部は、一定の幅を有することを特徴とする請求項５記載の光ファイバ。
【請求項８】
前記ガラスコア層の屈折率は、前記被覆コア層の屈折率よりも低いことを特徴とする請求項１乃至請求項７の内、いずれかに記載の光ファイバ。
【請求項９】
前記ガラスコア層の屈折率は、前記被覆コア層の屈折率よりも高いことを特徴とする請求項１乃至請求項７の内、いずれかに記載の光ファイバ。
【請求項１０】
生体内の管状組織に挿入可能な光ファイバであって、
コア層と、
前記コア層を被覆し、前記光ファイバの長手方向において一定幅を有する複数の開口部を備えるクラッド層
とを備え、前記開口部の配置密度は、前記光ファイバの入口部分から前記光ファイバの長手方向において離隔するにしたがって増加することを特徴とする光ファイバ。
【請求項１１】
前記管状組織は、血管、膵管、胆管、気管、乳腺、乳管、尿管の内、いずれかであることを特徴とする請求項１乃至請求項１０の内、いずれかに記載の光ファイバ。
【請求項１２】
前記光ファイバの終端部には、反射ミラーが更に配置されることを特徴とする請求項１乃至請求項１１の内、いずれかに記載の光ファイバ。
【請求項１３】
レーザ光源と、
前記レーザ光源に接続され、ガラスコア層と、前記ガラスコア層を被覆する被覆コア層と、前記被覆コア層を被覆し、かつ前記光ファイバの長手方向において複数の開口部を備えるクラッド層とを備え、前記光ファイバの長手方向において前記開口部の幅は、前記光ファイバの入口部分において狭く、前記入口部分から前記光ファイバの長手方向において離隔するにしたがって、広く形成され、生体内の管状組織に挿入可能な光ファイバ
とを備えることを特徴とする光ファイバ装置。
【請求項１４】
レーザ光源と、
前記レーザ光源に接続され、ガラスコア層と、前記ガラスコア層を被覆する被覆コア層と、前記被覆コア層を被覆し、かつ前記光ファイバの長手方向において一定幅を有する複数の開口部を備えるクラッド層とを備え、前記開口部の配置密度は、前記光ファイバの入口部分から前記光ファイバの長手方向において離隔するにしたがって増加する、生体内の管状組織に挿入可能な光ファイバ
とを備えることを特徴とする光ファイバ装置。
【請求項１５】
レーザ光源と、
前記レーザ光源に接続され、ガラスコア層と、前記ガラスコア層を被覆する被覆コア層と、前記被覆コア層を被覆し、かつ前記光ファイバの長手方向において螺旋状の開口部を備えるクラッド層とを備え、前記開口部の配置密度は、前記光ファイバの入口部分から前記光ファイバの長手方向において離隔するにしたがって増加する、生体内の管状組織に挿入可能な光ファイバ
とを備えることを特徴とする光ファイバ装置。
【請求項１６】
生体内の管状組織に挿入可能な複数の光ファイバからなるバンドルファイバであって、
各々の前記光ファイバは、
ガラスコア層と、
前記ガラスコア層を被覆する被覆コア層と、
前記被覆コア層を被覆し、かつ前記光ファイバの長手方向において複数の開口部を備えるクラッド層
とを備え、前記光ファイバの長手方向において前記開口部の幅は、前記光ファイバの入口部分において狭く、前記入口部分から前記光ファイバの長手方向において離隔するにしたがって、広く形成され、
かつ互いに接着層を介して接着されることを特徴とするバンドルファイバ。
【請求項１７】
生体内の管状組織に挿入可能な複数の光ファイバからなるバンドルファイバであって、
各々の前記光ファイバは、
ガラスコア層と、
前記ガラスコア層を被覆する被覆コア層と、
前記被覆コア層を被覆し、前記光ファイバの長手方向において一定幅を有する複数の開口部を備えるクラッド層
とを備え、前記開口部の配置密度は、前記光ファイバの入口部分から前記光ファイバの長手方向において離隔するにしたがって増加し、
かつ互いに接着層を介して接着されることを特徴とするバンドルファイバ。
【請求項１８】
生体内の管状組織に挿入可能な複数の光ファイバからなるバンドルファイバであって、
各々の前記光ファイバは、
ガラスコア層と、
前記ガラスコア層を被覆する被覆コア層と、
前記被覆コア層を被覆し、かつ前記光ファイバの長手方向において螺旋状の開口部を備えるクラッド層
とを備え、前記開口部の配置密度は、前記光ファイバの入口部分から前記光ファイバの長手方向において離隔するにしたがって増加し、
かつ互いに接着層を介して接着されることを特徴とするバンドルファイバ。
【請求項１９】
前記複数本の光ファイバの中心部にガイドワイヤを更に備えることを特徴とする請求項１６乃至請求項１８の内、いずれかに記載のバンドルファイバ。
【請求項２０】
前記管状組織は、血管、膵管、胆管、気管、乳腺、乳管、尿管の内、いずれかであることを特徴とする請求項１６乃至請求項１８の内、いずれかに記載のバンドルファイバ。
【請求項２１】
生体内の管状組織に挿入可能な外径を有する光ファイバであって、
前記光ファイバは、少なくとも１層のコア層と、少なくとも１層のクラッドを備え、
前記クラッド層の少なくとも先端部には、長手方向に添って、複数の開口部が形成されており、該開口部から漏洩光が発生することを特徴とする光ファイバ。
【発明の詳細な説明】
【技術分野】
【０００１】
本発明は、光ファイバ、光ファイバ装置及びバンドルファイバに関し、特に、生体の管状組織に適用される医療用の光ファイバ、光ファイバ装置及びバンドルファイバに関する。
【背景技術】
【０００２】
心臓の冠状動脈血管などに代表される生体の管状組織においては、血栓層が内壁部に付着する。血栓層は、脂肪の塊りや、カルシウム成分を多く含むコレステロールの層である。近年、冠状動脈の血栓などによる閉塞を改善する方法として、経皮的経血管的冠動脈形成術又は、経皮的冠動脈形成術（ＰＴＣＡ：Percutaneous Transluminal Coronary Angioplasty）と呼ばれる，バルーンによる再開通方法や、ステントと呼ばれる，半永久的な再開通方法がある。しかしながら、再狭窄の発生などの問題があり、完全な治療方法とはなり得ていない。
【０００３】
一方、光線力学療法（ＰＤＴ：Photodynamic Therapy）は、光感受性薬（Photosensitizer）を生体が導入し、胃、肺などの癌の部位に光感受性薬の薬剤が選択的に集中することを利用して、特定の波長の光を薬剤が選択的に集中した癌の部位に照射して、癌細胞を破壊する療法である。又、光線力学診断法（ＰＤＤ：Photodynamic Diagnosis）は、胃、肺などの癌の部位に光感受性薬の薬剤が選択的に集中することを利用して、特定波長の光を照射し、その蛍光から、胃、肺などの癌細胞の広がり範囲を把握する診断方法である。
【０００４】
一方、光ファイバの表面加工技術として、光ファイバセンサの用途において、光ファイバの表面に多数のノッチを形成する方法については、既に開示されている（例えば、特許文献１参照。）。
【０００５】
光線力学療法（ＰＤＴ）或いは光線力学診断法（ＰＤＤ）については、上記の通り、胃、肺などの癌の部位には適用されているが、心臓の冠状動脈血管内などに代表される生体の細径の管状組織における病変部位には、適用されていない。
【特許文献１】特公表平８−５１１３４３号公報
【発明の開示】
【発明が解決しようとする課題】
【０００６】
本発明は、生体の管状組織に適用され、管状組織の病変部位を治療するための医療用の光ファイバ、光ファイバ装置及びバンドルファイバを提供することを目的とする。
【課題を解決するための手段】
【０００７】
本発明の一態様によれば、生体内の管状組織に挿入可能な光ファイバであって、ガラスコア層と、ガラスコア層を被覆する被覆コア層と、被覆コア層を被覆し、かつ光ファイバの長手方向において複数の開口部を備えるクラッド層とを備え、光ファイバの長手方向において開口部の幅は、光ファイバの入口部分において狭く、入口部分から光ファイバの長手方向において離隔するにしたがって、広く形成される光ファイバが提供される。
【０００８】
本発明の他の態様によれば、生体内の管状組織に挿入可能な光ファイバであって、ガラスコア層と、ガラスコア層を被覆する被覆コア層と、被覆コア層を被覆し、光ファイバの長手方向において一定幅を有する複数の開口部を備えるクラッド層とを備え、開口部の配置密度は、光ファイバの入口部分から光ファイバの長手方向において離隔するにしたがって増加する光ファイバが提供される。
【０００９】
本発明の他の態様によれば、生体内の管状組織に挿入可能な光ファイバであって、ガラスコア層と、ガラスコア層を被覆する被覆コア層と、被覆コア層を被覆し、かつ光ファイバの長手方向において螺旋状の開口部を備えるクラッド層とを備え、開口部の配置密度は、光ファイバの入口部分から光ファイバの長手方向において離隔するにしたがって増加する光ファイバが提供される。
【００１０】
本発明の他の態様によれば、生体内の管状組織に挿入可能な光ファイバであって、コア層と、コア層を被覆し、光ファイバの長手方向において一定幅を有する複数の開口部を備えるクラッド層とを備え、開口部の配置密度は、前記光ファイバの入口部分から前記光ファイバの長手方向において離隔するにしたがって増加することを特徴とする光ファイバが提供される。
【００１１】
本発明の他の態様によれば、レーザ光源と、レーザ光源に接続され、ガラスコア層と、ガラスコア層を被覆する被覆コア層と、被覆コア層を被覆し、かつ光ファイバの長手方向において複数の開口部を備えるクラッド層とを備え、光ファイバの長手方向において開口部の幅は、光ファイバの入口部分において狭く、入口部分から光ファイバの長手方向において離隔するにしたがって、広く形成され、生体内の管状組織に挿入可能な光ファイバとを備える光ファイバ装置が提供される。
【００１２】
本発明の他の態様によれば、レーザ光源と、レーザ光源に接続され、ガラスコア層と、ガラスコア層を被覆する被覆コア層と、被覆コア層を被覆し、かつ光ファイバの長手方向において一定幅を有する複数の開口部を備えるクラッド層とを備え、開口部の配置密度は、光ファイバの入口部分から光ファイバの長手方向において離隔するにしたがって増加し、生体内の管状組織に挿入可能な光ファイバとを備える光ファイバ装置が提供される。
【００１３】
本発明の他の態様によれば、レーザ光源と、レーザ光源に接続され、ガラスコア層と、ガラスコア層を被覆する被覆コア層と、被覆コア層を被覆し、かつ光ファイバの長手方向において螺旋状の開口部を備えるクラッド層とを備え、開口部の配置密度は、光ファイバの入口部分から光ファイバの長手方向において離隔するにしたがって増加し、生体内の管状組織に挿入可能な光ファイバとを備える光ファイバ装置が提供される。
【００１４】
本発明の他の態様によれば、生体内の管状組織に挿入可能な複数の光ファイバからなるバンドルファイバであって、各々の光ファイバは、ガラスコア層と、ガラスコア層を被覆する被覆コア層と、被覆コア層を被覆し、かつ光ファイバの長手方向において複数の開口部を備えるクラッド層とを備え、光ファイバの長手方向において開口部の幅は、光ファイバの入口部分において狭く、入口部分から前記光ファイバの長手方向において離隔するにしたがって、広く形成され、かつ互いに接着層を介して接着されるバンドルファイバが提供される。
【００１５】
本発明の他の態様によれば、生体内の管状組織に挿入可能な複数の光ファイバからなるバンドルファイバであって、各々の光ファイバは、ガラスコア層と、ガラスコア層を被覆する被覆コア層と、被覆コア層を被覆し、光ファイバの長手方向において一定幅を有する複数の開口部を備えるクラッド層とを備え、開口部の配置密度は、光ファイバの入口部分から光ファイバの長手方向において離隔するにしたがって増加し、かつ互いに接着層を介して接着されるバンドルファイバが提供される。
【００１６】
本発明の他の態様によれば、生体内の管状組織に挿入可能な複数の光ファイバからなるバンドルファイバであって、各々の光ファイバは、ガラスコア層と、ガラスコア層を被覆する被覆コア層と、被覆コア層を被覆し、かつ光ファイバの長手方向において螺旋状の開口部を備えるクラッド層とを備え、開口部の配置密度は、光ファイバの入口部分から光ファイバの長手方向において離隔するにしたがって増加し、かつ互いに接着層を介して接着されるバンドルファイバが提供される。
【００１７】
本発明の他の態様によれば、生体内の管状組織に挿入可能な外径を有する光ファイバであって、前記光ファイバは、少なくとも１層のコア層と、少なくとも１層のクラッドを備え、前記クラッド層の少なくとも先端部には、長手方向に添って、複数の開口部が形成されており、該開口部から漏洩光が発生することを特徴とする光ファイバが提供される。
【発明の効果】
【００１８】
本発明の光ファイバ、光ファイバ装置及びバンドルファイバによれば、生体の管状組織に適用され、管状組織の内壁の病変部位を選択的に除去することができる。
【００１９】
又、本発明の光ファイバ、光ファイバ装置及びバンドルファイバによれば、光ファイバのある長さに渡って、側方（周方向）に光が漏れる光導光体を作成し、その構造を有しながら、曲げ応力などに対する機械強度を充分に維持することができる。
【００２０】
又、本発明の光ファイバ、光ファイバ装置及びバンドルファイバによれば、特に、光ファイバのコアに石英を用いることで、高強度のレーザ光を伝送することができる。
【発明を実施するための最良の形態】
【００２１】
次に、図面を参照して、本発明の実施の形態を説明する。以下の図面の記載において、同一又は類似の部分には同一又は類似の符号を付している。ただし、図面は模式的なものであり、現実のものとは異なることに留意すべきである。又、図面相互間においても互いの寸法の関係や比率が異なる部分が含まれていることはもちろんである。
【００２２】
また、以下に示す実施の形態は、この発明の技術的思想を具体化するための装置や方法を例示するものであって、この発明の技術的思想は、各構成部品の配置などを下記のものに特定するものでない。この発明の技術的思想は、特許請求の範囲において、種々の変更を加えることができる。
【００２３】
また、本発明の実施の形態に係る光ファイバ、光ファイバ装置及びバンドルファイバは、光線力学療法（ＰＤＴ）或いは光線力学診断法（ＰＤＤ）と共に併用することによって、生体の管状組織内壁の病変部を除去するための手段を提供することができる。
【００２４】
更に、本発明の実施の形態に係る光ファイバ、光ファイバ装置及びバンドルファイバは、光線力学療法（ＰＤＴ）或いは光線力学診断法（ＰＤＤ）と共に併用することによって、生体の管状組織内壁の病変部を除去するための診断方法、手術方法を提供することができる。
【００２５】
尚、本発明の実施の形態の説明において、管状組織とは、例えば、血管、膵管、胆管、気管、乳腺、乳管、尿管などを示す。特に、血管に関しては、心臓の冠状動脈のみならず、脳動脈、肺静脈、頚動脈、腹部，手足の動脈，静脈を含め、アテローマ、血栓などにより、梗塞、閉塞が発生する部位を含む血管はすべて対象となる。
【００２６】
又、本発明の実施の形態において、光ファイバの出口部分ＬＯとは、図１０に示されるように、反射ミラー１４が配置される部分であり、光ファイバの入口部分ＬＩとは、図１０に示されるように、レーザ光源からみて、最初の開口部２３が配置される部分である。
【００２７】
又、本発明の実施の形態において、開口部２３の配置密度とは、単位面積当たりの開口部２３の密度である。開口部２３の形状は、形成方法によって、矩形、楕円、丸型に形成されることから、開口部２３をランダムに配置する場合には、開口部２３の配置密度は、単位面積当たりの開口部２３の密度と定義することができる。一方、光ファイバ２０の長手方向において、規則性を持って配置する場合には、開口部２３の配置密度は、光ファイバ２０の長手方向における単位長さ当りの開口部２３の全長で定義される。
【００２８】
開口部２３の配置密度が低いということは、単位面積当たりの開口部２３の密度が低いこと、或いは長手方向における単位長さ当りの開口部２３の長さの割合が相対的に低いことを意味する。開口部２３の配置密度が高いということは、単位面積当たりの開口部２３の密度が高いこと、或いは光ファイバ２０の長手方向における単位長さ当りの開口部２３の長さの割合が相対的に高いことを意味する。
【００２９】
[第１の実施の形態]
本発明の第１の実施形態に係る光ファイバ２０は、図１に示すように表される。図１（ａ）は、図１（ｂ）のＩ―Ｉ線に沿う模式的断面構造図であり、図１（ｂ）は、光ファイバ２０の模式的平面図であり、図１（ｃ）は、図１（ａ）のＩＩ−ＩＩ線に沿う模式的断面構造図であり、図１（ｄ）は、図１（ａ）のＩＩＩ−ＩＩＩ線に沿う模式的断面構造図を示す。
【００３０】
本発明の第１の実施形態に係る光ファイバ２０は、生体内の管状組織に挿入可能な光ファイバであって、図１に示すように、ガラスコア層１１と、ガラスコア層１１を被覆する被覆コア層１２と、被覆コア層１２を被覆し、かつ光ファイバ２０の長手方向において複数の開口部２３を備えるクラッド層１３とを備え、光ファイバ２０の長手方向において開口部２３の幅Ｌ１〜Ｌ７は、Ｌ１＜Ｌ２＜Ｌ３＜Ｌ４＜Ｌ５＜Ｌ６＜Ｌ７の大小関係にあり、光ファイバ２０の入口部分において狭く、入口部分から光ファイバ２０の長手方向において離隔するにしたがって広く形成される。
【００３１】
ここで、本発明の第１の実施の形態において、光ファイバの出口部分ＬＯとは、図１０に示されるように、反射ミラー１４が配置される部分であり、光ファイバの入口部分ＬＩとは、図１０に示されるように、レーザ光源からみて、最初の開口部２３が配置される部分である。
【００３２】
又、本発明の第１の実施形態に係る光ファイバ２０においては、開口部２３は、図１に示すように、リング形状を有する。
【００３３】
（光強度と開口部配置との関係）
本発明の第１の実施形態に係る光ファイバと比較例に係る光ファイバにおいて、光強度Ｐと、長さＬとの関係は、図９に示すように表される。ここで、光強度Ｐとは、光ファイバ２０のコア部分（ガラスコア層１１及び被覆コア層１２）から開口部２３を通して外部に漏洩する光の強度をいう。
【００３４】
図９に対応する本発明の第１の実施形態に係る光ファイバ２０の模式的断面構造は図１０（ａ）に示すように表され、比較例に係る光ファイバの模式的断面構造は、図１０（ｂ）に示すように表される。
【００３５】
比較例に係る光ファイバにおいては、図１０（ｂ）に示すように、開口部２３の幅Ｌ０は一定の幅でかつ等間隔で配置される。図９の実線で示されるように、光ファイバの入口部分ＬＩにおいては光パワーＰ（Ｗ／ｃｍ）が強く、光ファイバの出口部分ＬＯに向けて、光ファイバの長手方向の長さＬの方向にシフトするにしたがって、光パワーＰ（Ｗ／ｃｍ）は急激に減衰している。これは、比較例に係る光ファイバにおいては、図１０（ｂ）に示すように、開口部２３の幅Ｌ０が一定の幅でかつ等間隔で配置されるため、光ファイバの入口部分ＬＩ近傍において、ほとんどの光パワーＰ（Ｗ／ｃｍ）が漏れてしまうからである。
【００３６】
これに対して、本発明の第１の実施形態に係る光ファイバ２０においては、図１０（ａ）に示すように、開口部２３の幅Ｌ１〜Ｌ７は、Ｌ１＜Ｌ２＜Ｌ３＜Ｌ４＜Ｌ５＜Ｌ６＜Ｌ７の大小関係にあり、光ファイバ２０の入口部分ＬＩにおいて狭く、入口部分ＬＩから出口部分ＬＯに向けて次第に広くなるように形成されるため、光ファイバ２０の長手方向の長さＬの方向にシフトするにしたがって、光パワーＰ（Ｗ／ｃｍ）は急激には減衰せず、緩やかに減衰するか、実質的にほとんど平坦な出力特性が得られる。これは、本発明の第１の実施形態に係る光ファイバ２０においては、図１０（ａ）に示すように、開口部２３の幅が、光ファイバ２０の入口部分ＬＩ近傍において狭く、入口部分ＬＩから出口部分ＬＯに向けて次第に広くなるように形成されるため、光ファイバ２０の入口部分ＬＩ近傍における光パワーＰ（Ｗ／ｃｍ）の漏洩が抑制されるためである。
【００３７】
冠状動脈などの血管は、光ファイバを挿入する場合、一般的に入口部分の内径は太いが、先端部分に行くに従い、内径が細くなる傾向がある。本発明の第１の実施形態に係る光ファイバ２０においては、冠状動脈などの血管の長さと内径の関係に応じて、複数の開口部２３が配置される光ファイバ２０部分の長さＬを調整することによって、図９の点線で示されるように、光パワーＰ（Ｗ／ｃｍ）と長さＬとの関係を、緩やかに減衰するか、実質的にほとんど平坦な出力特性が得られるように設定することも可能である。
【００３８】
（屈折率分布）
図１４は、本発明の第１の実施の形態に係る光ファイバ２０の屈折率分布例であって、図１４（ａ）は、ガラスコア層１１の屈折率ｎ０に対して、被覆コア層１２の屈折率ｎ１が高い例、図１４（ｂ）は、ガラスコア層１１の屈折率ｎ０に対して、被覆コア層１２の屈折率ｎ１が低い例、図１４（ｃ）は、プラスティックコア層２１の屈折率ｎ３がフラットな例を示す。
【００３９】
本発明の第１の実施形態に係る光ファイバ２０において適用可能な屈折率ｎの分布は、図１４（ａ）乃至図１４（ｃ）に示すように表される。図１４において、光ファイバ２０の長手方向の中心軸Ｃ−Ｃを座標軸の中心軸として設定し、半径Ｒ方向の屈折率ｎの分布が示されている。
【００４０】
本発明の第１の実施形態に係る光ファイバ２０においては、図１４（ａ）に示すように、ガラスコア層１１の屈折率ｎ０は、被覆コア層１２の屈折率ｎ１よりも若干低く設定される。このように、被覆コア層１２の屈折率ｎ１をガラスコア層１１の屈折率ｎ０よりも高く設定することによって、光ファイバ２０を導通する光が、被覆コア層１２を導光しやすくなり、クラッド層１３に配置された開口部２３から漏れやすくするという効果がある。又、クラッド層１３の屈折率ｎ３は、ガラスコア層１１の屈折率ｎ０よりも低く設定する。代表的な数値としては、例えば、ｎ０＝１．４５８５、ｎ１＝１．４６〜１．５３、ｎ３＝１．３８〜１．４が望ましい。
【００４１】
ガラスコア層１１は、例えば、石英を用いた場合、屈折率ｎ０＝１．４５８５が得られる。被覆コア層１２の材料として、例えば、シリコーン樹脂を用いた場合、屈折率ｎ１＝１．５２が得られる。又、例えば、エポキシアクリレート系樹脂を用いた場合、屈折率ｎ１＝１．５４３が得られる。又、例えば、ウレタンアクリレート系樹脂を用いた場合、屈折率ｎ１＝１．４９〜１．５２、或いは１．５１０〜１．５１３、或いは１．４９０〜１．５４０が得られる。
【００４２】
一方、クラッド層１３の材料として、例えば、シリコ―ンクラッド用のシリコーン樹脂を用いた場合、屈折率ｎ２＝１．４１が得られる。又、例えば、フッ化アクリレート系樹脂を用いた場合、屈折率ｎ２＝１．３８若しくは１．４０が得られる。又、例えば、ウレタンアクリレート系樹脂を用いた場合、屈折率ｎ２＝１．４７０〜１．４９０が得られる。
【００４３】
被覆コア層１２の屈折率ｎ１、クラッド層１３の屈折率ｎ２は、上記材料の屈折率を適宜組み合わせて用いることができる。ガラスコア層１１、被覆コア層１２、及びクラッド層１３の屈折率及び材料の選定は、上記に限られるものではない。他のプラスティック材料などを適宜選択可能である。
【００４４】
一方、本発明の第１の実施形態に係る光ファイバ２０においては、図１４（ｂ）に示すように、ガラスコア層１１の屈折率ｎ０を、被覆コア層１２の屈折率ｎ１よりも高く設定することもできる。このように、被覆コア層１２の屈折率ｎ１をガラスコア層１１の屈折率ｎ０よりも低く設定することによって、光ファイバ２０を導通する光が、相対的に、ガラスコア層１１を導光しやすくなり、光ファイバ２０のガラスコア層１１において、より長い距離導光でき、入口部分から光ファイバ２０の長手方向において、より遠距離に配置された開口部２３からも光を漏れやすくすることができる。したがって、図１４（ｂ）の屈折率分布を有する光ファイバ２０の場合には、光ファイバ２０の長さを長く設定する用途に適用することができる。
【００４５】
更に、本発明の第１の実施形態に係る光ファイバ２０においては、図１４（ｃ）に示すように、コア層として、プラスティックコア層２１を用いることも可能である。プラスティックコア層２１の屈折率ｎ３の屈折率分布は、図１４（ｃ）に示すように、平坦な分布を有する。平坦な屈折率分布を有するプラスティックコア層２１を用いる光ファイバ２０としては、光ファイバ２０を導通する光のパワーレベルが相対的に低い場合に適用可能である。
【００４６】
又、本発明の第１の実施形態に係る光ファイバ２０においては、図１に示すように、光ファイバ２０の終端部には、反射ミラー１４が更に配置される。反射ミラー１４には、例えば、ニッケル（Ｎｉ）、クローム（Ｃｒ）、アルミニウム（Ａｌ）などの金属材料、又は多層膜を用いることができる。
【００４７】
尚、本発明の第１の実施の形態に係る光ファイバの直径は、ガラスコア層１１，被覆コア層１２及びクラッド層１３を含め、約０．０１〜数ｍｍ程度であり、望ましくは、約０．０１〜１ｍｍ程度であり、適用する生体の管状組織の内径に応じて、選択される。
【００４８】
（光波長と薬剤との関係）
本発明の第１の実施の形態に係る光ファイバ２０は、生体の管状組織に挿入することで、光線力学療法（ＰＤＴ）を適用して、生体の管状組織の内壁の病変を完治することができる。光感受性薬（Photosensitizer）を生体が導入し、アテローマ、コレステロールなどが堆積した血栓部に光感受性薬の薬剤が選択的に集中することを利用して、特定の波長のレーザ光を薬剤が選択的に集中した血栓部に照射して、血栓部を光化学反応によって、溶解し、除去することができる。
【００４９】
光感受性薬として、例えば、アントリン（Antrin）を使用した場合、レーザ光の波長としては、例えば、約７３２ｎｍが適正な中心波長である。光感受性薬として、例えば、フォトフリン（Photofrin）或いはＡＬＡを使用した場合、レーザ光の波長としては、例えば、約６３０ｎｍが適正な中心波長である。光感受性薬として、例えば、フォスキャン（Foscan）を使用した場合、レーザ光の波長としては、例えば、約６５２ｎｍが適正な中心波長である。光感受性薬として、例えば、ＬＳ１１を使用した場合、レーザ光の波長としては、例えば、約６５４ｎｍが適正な中心波長である。
【００５０】
又、血液中におけるヘモグロビンなどによる散乱吸収損失の低い赤外から遠赤外波長を用いることもできる。例えば、波長１．０〜１．３μｍ、望ましくは１．１μｍ近傍の波長を有するレーザ光を用いることができる。或いは又、波長１．５〜２．０μｍ、望ましくは１．６μｍ近傍の波長を有するレーザ光を用いることもできる。
【００５１】
光線力学診断法（ＰＤＤ）を、このような光線力学療法（ＰＤＴ）と併用することによって、病変部に光感受性薬の薬剤が選択的に集中することを利用して、病変部の広がり範囲を把握する診断方法を提供することも可能である。即ち、光線力学診断法（ＰＤＤ）を用いて、生体の管状組織内の病変部の広がり範囲などを把握した後、本発明の第１の実施の形態に係る光ファイバ２０を生体の管状組織内に導入し、病変部の広がり範囲に応じて、病変部に光感受性薬の薬剤が選択的に集中することを利用して、適正な波長のレーザ光を病変部に照射し、生体の管状組織の内壁に付着した血栓部を溶解・除去し、病変を完治することができる。
【００５２】
光感受性薬の投与量は、例えば、約２．５ｍｇであり、レーザ光のパワーレベルは、例えば、約１５０Ｊ／ｃｍ・ｆ-1である。ここでｆは、レーザ光の繰り返し周波数である。ｆが１ｋＨｚの場合には、パワーレベルは約１５０ｍＪ／ｃｍとなる。このようなレーザ光を約５００ｓｅｃ照射して、生体の管状組織の内壁に付着した血栓部などを溶解し、除去することができる。
【００５３】
尚、光パワーレベルは上記数値範囲に限定されることはなく、用途に応じて、より微弱なパワーを使用してもよい。対象とする生体の管状組織の長さや、光感受性薬が光反応する光パワーレベルに応じて、ガラスコア層１１の材質を石英からプラステックに変更することもできる。又、対象とする生体の管状組織の長さや、光感受性薬が光反応する光パワーレベルに応じて、被覆コア層１２を省略してガラスコア層１１のみ或いはプラスティックコア層のみとして構成することも可能である。
【００５４】
冠状動脈などの血管は、光ファイバを挿入する場合、一般的に入口部分の内径は太いが、先端部分に行くに従い、内径が細くなる傾向がある。本発明の第１の実施形態に係る光ファイバ２０においては、光パワーＰ（Ｗ／ｃｍ）と長さＬとの関係は、緩やかに減衰するか、実質的にほとんど平坦な出力特性が得られるため、管状組織１５の長さが、例えば心臓の冠状動脈の長さである約２０〜３０ｃｍ程度であっても、開口部２３を有する光ファイバ２０部分の長さＬを例えば、２０〜３０ｃｍ程度に調整することによって、冠状動脈の全体に光線力学療法（ＰＤＴ）を適用して、冠状動脈の内壁に付着した血栓部１６などを溶解し、除去することができる。
【００５５】
つまり、本発明の第１の実施の形態に係る光ファイバ２０によれば、スポット的な治療ではなく、血管の長手方向に沈積した（部分的ではなく、血管壁に沿って長目に分布しているという意味であり、以下、本発明において共通）プラーク等の除去に有効であり、血管の長手方向に沿った治療を実現することができる。即ち、本発明の第１の実施の形態に係る光ファイバ２０を適用することによって、血管の最も狭窄の起きている部位を部分的に治療するのではなく、血管全体に起きている狭搾（部分的ではなく、血管壁に沿って長目に分布しているという意味であり、以下、本発明において共通）を治療することもできる。
【００５６】
このように、光ファイバの側面から漏れる光によって、血管壁に沿った治療ができることが重要である。
【００５７】
[第２の実施の形態]
本発明の第２の実施形態に係る光ファイバ２０は、図２に示すように表される。図２（ａ）は、図２（ｂ）のＩ―Ｉ線に沿う模式的断面構造図であり、図２（ｂ）は、光ファイバ２０の模式的平面図であり、図２（ｃ）は、図２（ａ）のＩＩ−ＩＩ線に沿う模式的断面構造図であり、図２（ｄ）は、図２（ａ）のＩＩＩ−ＩＩＩ線に沿う模式的断面構造図を示す。
【００５８】
本発明の第２の実施形態に係る光ファイバ２０は、生体内の管状組織に挿入可能な光ファイバであって、図２に示すように、ガラスコア層１１と、ガラスコア層１１を被覆する被覆コア層１２と、被覆コア層１２を被覆し、光ファイバ２０の長手方向において一定の幅Ｌ０を有する複数の開口部２３を備えるクラッド層１３とを備え、開口部２３の配置密度は、光ファイバ２０の入口部分から光ファイバ２０の長手方向において離隔するにしたがって増加する。
【００５９】
又、本発明の第２の実施の形態において、開口部２３の配置密度とは、光ファイバ２０の長手方向における単位長さ当りの開口部２３の全長で定義される。開口部２３の配置密度が光ファイバ２０の入口部分において低いということは、光ファイバ２０の入口部分において、長手方向における単位長さ当りの開口部２３の長さの割合が相対的に小さいことを意味する。開口部２３の配置密度が高いということは、光ファイバ２０の長手方向における単位長さ当りの開口部２３の長さの割合が相対的に大きいということを意味する。
【００６０】
又、本発明の第２の実施形態に係る光ファイバ２０においては、開口部２３は、図２に示すように、リング形状を有する。
【００６１】
又、本発明の第２の実施形態に係る光ファイバ２０においては、図２に示すように、光ファイバ２０の終端部には、反射ミラー１４が配置される。反射ミラー１４には、例えば、ニッケル（Ｎｉ）、クローム（Ｃｒ）、アルミニウム（Ａｌ）などの金属材料、又は多層膜を用いることができる。
【００６２】
（屈折率分布）
本発明の第２の実施形態に係る光ファイバ２０において適用可能な屈折率ｎの分布は、第１の実施の形態と同様に、図１４（ａ）乃至図１４（ｃ）に示すように表される。また、各部の材料の選定及び屈折率ｎの値も第１の実施の形態と同様である。
【００６３】
（光強度と開口部配置との関係）
本発明の第２の実施形態に係る光ファイバ２０おいても、光強度Ｐと長さＬとの関係は、本発明の第１の実施の形態に係る光ファイバ２０と同様に、図９中の点線で示すように表される。
【００６４】
本発明の第２の実施形態に係る光ファイバ２０においても、開口部２３の配置密度は、光ファイバ２０の入口部分ＬＩにおいて相対的に低く、入口部分ＬＩから出口部分ＬＯに向けて光ファイバ２０の長手方向の長さＬの方向にシフトするにしたがって、増加するため、光パワーＰ（Ｗ／ｃｍ）は急激には減衰せず、緩やかに減衰するか、実質的にほとんど平坦な出力特性が得られる。
【００６５】
（光波長と薬剤との関係）
図７は、本発明の第２の実施形態に係る光ファイバ２０を生体の管状組織１５内の液体媒質６０中に挿入した状態を説明する模式的断面構造図である。ここで、液体媒質６０は、例えば、血液などである。又、図８は、図７のＩ−Ｉ線に沿う模式的断面構造図である。生体の管状組織１５の内壁には、図７及び図８に示すように、血栓部１６が堆積形成されているため、本発明の第２の実施形態に係る光ファイバ２０も生体の管状組織１５内挿入に、光線力学療法（ＰＤＴ）を適用して、生体の管状組織１５の内壁に付着した血栓部１６を溶解し、除去することができる。光感受性薬を生体が導入し、アテローマ、コレステロールなどが堆積した血栓部１６に光感受性薬の薬剤が選択的に集中することを利用して、特定の波長のレーザ光を薬剤が選択的に集中した血栓部１６に照射して、プラーク層などの血栓を光化学反応によって、溶解し、除去することができる。
【００６６】
光感受性薬とレーザ光の波長との関係は、第１の実施の形態における説明と同様である。
【００６７】
光線力学診断法（ＰＤＤ）を、光線力学療法（ＰＤＴ）と併用し、生体の管状組織の内壁に付着したプラーク層などの血栓を溶解し、除去することができることも第１の実施の形態における説明と同様である。
【００６８】
光感受性薬の投与量及びレーザ光のパワーレベルについても、第１の実施の形態における説明と同様である。
【００６９】
又、本発明の第２の実施の形態に係る光ファイバ２０によれば、スポット的な治療ではなく、血管の長手方向に沈積した（部分的ではなく、血管壁に沿って長目に分布しているという意味であり、以下、本発明において共通）プラーク等の除去に有効であり、血管の長手方向に沿った治療を実現することができる。即ち、本発明の第２の実施の形態に係る光ファイバ２０を適用することによって、血管の最も狭窄（部分的ではなく、血管壁に沿って長目に分布しているという意味であり、以下、本発明において共通）の起きている部位を部分的に治療するのではなく、血管全体に起きている狭窄を予防することもできる。
【００７０】
このように、光ファイバの側面から漏れる光によって、血管壁に沿った治療ができることが重要である。
【００７１】
[第３の実施の形態]
本発明の第３の実施形態に係る光ファイバ２０は、図３に示すように表される。図３（ａ）は、図３（ｂ）のＩ―Ｉ線に沿う模式的断面構造図であり、図３（ｂ）は、光ファイバ２０の模式的平面図であり、図３（ｃ）は、図３（ａ）のＩＩ−ＩＩ線に沿う模式的断面構造図であり、図３（ｄ）は、図３（ａ）のＩＩＩ−ＩＩＩ線に沿う模式的断面構造図を示す。
【００７２】
本発明の第３の実施形態に係る光ファイバ２０は、生体内の管状組織に挿入可能な光ファイバであって、図３に示すように、ガラスコア層１１と、ガラスコア層１１を被覆する被覆コア層１２と、被覆コア層１２を被覆し、光ファイバ２０の長手方向において一定幅を有する複数の開口部２３を備えるクラッド層１３とを備え、開口部２３の配置密度は、光ファイバ２０の入口部分から長手方向において離隔するにしたがって増加する。
【００７３】
又、本発明の第３の実施形態に係る光ファイバ２０においては、開口部２３は、図３に示すように、矩形形状を有する。尚、開口部２３の形状は、形成方法によっては、矩形のみならず、円形、楕円形に形成することもできる。開口部２３の形成方法としては、クラッド層１３をレーザ加工によって加工する方法、クラッド層１３を機械的加工によって加工する方法、又はクラッド層１３を濃硫酸等の薬品で除去する方法等がある。
【００７４】
又、本発明の第３の実施形態に係る光ファイバ２０においては、図３に示すように、光ファイバ２０の終端部には、反射ミラー１４が配置される。反射ミラー１４は、例えば、ニッケル（Ｎｉ）、クローム（Ｃｒ）、アルミニウム（Ａｌ）などの金属材料、又は多層膜を用いることができる。
【００７５】
又、本発明の第３の実施形態に係る光ファイバ２０においては、開口部２３は、図３に示すように、矩形形状を有することから、開口部２３が存在する窓部分からのみ光が放出されるため、生体の管状組織に挿入して使用する場合には、光ファイバ２０を長手方向の中心軸の周りに回転させて使用してもよい。
【００７６】
（屈折率分布）
本発明の第３の実施形態に係る光ファイバ２０において適用可能な屈折率ｎの分布は、第１の実施の形態と同様に、図１４（ａ）乃至図１４（ｃ）に示すように表される。また、各部の材料の選定及び屈折率ｎの値も第１の実施の形態と同様である。
【００７７】
（光強度と開口部配置との関係）
本発明の第３の実施形態に係る光ファイバ２０おいても、光強度Ｐと長さＬとの関係は、本発明の第１の実施の形態に係る光ファイバ２０と同様に、図９中の点線で示すように表される。
【００７８】
本発明の第３の実施形態に係る光ファイバ２０においても、開口部２３の配置密度は、光ファイバ２０の入口部分ＬＩにおいて相対的に低く、入口部分ＬＩから出口部分ＬＯに向けて光ファイバ２０の長手方向の長さＬの方向にシフトするにしたがって、増加するため、光パワーＰ（Ｗ／ｃｍ）は急激には減衰せず、緩やかに減衰するか、実質的にほとんど平坦な出力特性が得られる。
【００７９】
（光波長と薬剤との関係）
本発明の第３の実施の形態に係る光ファイバ２０も第１の実施の形態に係る光ファイバ２０と同様に、生体の管状組織に挿入することで、光線力学療法（ＰＤＴ）を適用して、生体の管状組織の内壁に付着したプラーク層などの血栓を溶解し、除去することができる。光感受性薬を生体が導入し、アテローマ、コレステロールなどが堆積した血栓部に光感受性薬の薬剤が選択的に集中することを利用して、特定の波長のレーザ光を薬剤が選択的に集中した血栓部に照射して、血栓部を光化学反応によって、溶解し、除去することができる。
【００８０】
光感受性薬とレーザ光の波長との関係は、第１の実施の形態における説明と同様である。
【００８１】
光線力学診断法（ＰＤＤ）を、光線力学療法（ＰＤＴ）と併用し、生体の管状組織の内壁に付着した血栓部を溶解し、除去することができることも第１の実施の形態における説明と同様である。
【００８２】
光感受性薬の投与量は、及びレーザ光のパワーレベルについても、第１の実施の形態における説明と同様である。
【００８３】
又、本発明の第３の実施の形態に係る光ファイバ２０によれば、スポット的な治療ではなく、血管の長手方向に沈積した（部分的ではなく、血管壁に沿って長目に分布しているという意味であり、以下、本発明において共通）プラーク等の除去に有効であり、血管の長手方向に沿った治療を実現することができる。即ち、本発明の第３の実施の形態に係る光ファイバ２０を適用することによって、血管の最も狭窄（部分的ではなく、血管壁に沿って長目に分布しているという意味であり、以下、本発明において共通）の起きている部位を部分的に治療するのではなく、血管全体に起きている狭窄を予防することもできる。
【００８４】
このように、光ファイバの側面から漏れる光によって、血管壁に沿った治療ができることが重要である。
【００８５】
[第４の実施の形態]
本発明の第４の実施形態に係る光ファイバ２０は、図４に示すように表される。図４（ａ）は、図４（ｂ）のＩ―Ｉ線に沿う模式的断面構造図であり、図４（ｂ）は、光ファイバ２０の模式的平面図であり、図４（ｃ）は、図４（ａ）のＩＩ−ＩＩ線に沿う模式的断面構造図であり、図４（ｄ）は、図４（ａ）のＩＩＩ−ＩＩＩ線に沿う模式的断面構造図を示す。
【００８６】
本発明の第４の実施形態に係る光ファイバ２０は、図４に示すように、生体内の管状組織に挿入可能な光ファイバであって、ガラスコア層１１と、ガラスコア層１１を被覆する被覆コア層１２と、被覆コア層１２を被覆し、光ファイバ２０の長手方向において複数の溝開口部（ノッチ）２４を備えるクラッド層１３とを備え、溝開口部（ノッチ）２４の配置密度は、光ファイバ２０の入口部分において相対的に低く、入口部分から光ファイバ２０の長手方向において離隔するにしたがって増加する。
【００８７】
又、本発明の第４の実施形態に係る光ファイバ２０においては、図４に示すように、溝開口部２４は、リング形状を有する。
【００８８】
又、本発明の第４の実施形態に係る光ファイバ２０においては、溝開口部２４は、図４に示すように、Ｖ字溝のノッチ形状を有する。尚、Ｖ字溝の溝開口部２４の形状としては、底部において所定の広がりを持たせてもよい。即ち、この場合には、断面形状は、逆台形状となる。更に、Ｖ字溝のノッチ形状又は逆台形状の溝開口部２４の底部において、被覆コア層１２が完全に露出した場合のみならず、被覆コア層１２が完全に露出せず、クラッド層１３が所定の厚さで、薄膜として残っている場合もある。
【００８９】
又、本発明の第４の実施形態に係る光ファイバ２０においては、図４に示すように、光ファイバ２０の終端部には、反射ミラー１４が配置される。反射ミラー１４は、例えば、ニッケル（Ｎｉ）、クローム（Ｃｒ）、アルミニウム（Ａｌ）などの金属材料、又は多層膜を用いることができる。
【００９０】
（屈折率分布）
本発明の第４の実施形態に係る光ファイバ２０において適用可能な屈折率ｎの分布は、第１の実施の形態と同様に、図１４（ａ）乃至図１４（ｃ）に示すように表される。また、各部の材料の選定及び屈折率ｎの値も第１の実施の形態と同様である。
【００９１】
（光強度と開口部配置との関係）
本発明の第４の実施形態に係る光ファイバ２０おいても、光強度Ｐと長さＬとの関係は、本発明の第１の実施の形態に係る光ファイバ２０と同様に、図９中の点線で示すように表される。
【００９２】
本発明の第４の実施形態に係る光ファイバ２０においても、溝開口部２４の配置密度は、光ファイバ２０の入口部分ＬＩにおいて相対的に低く、入口部分ＬＩから出口部分ＬＯに向けて光ファイバ２０の長手方向の長さＬの方向にシフトするにしたがって増加するため、光パワーＰ（Ｗ／ｃｍ）は急激には減衰せず、緩やかに減衰するか、実質的にほとんど平坦な出力特性が得られる。
【００９３】
（光波長と薬剤との関係）
本発明の第４の実施の形態に係る光ファイバ２０も第１の実施の形態に係る光ファイバ２０と同様に、生体の管状組織に挿入することで、光線力学療法（ＰＤＴ）を適用して、生体の管状組織の内壁に付着した血栓部を溶解し、除去することができる。光感受性薬を生体が導入し、アテローマ、コレステロールなどが堆積した血栓部に光感受性薬の薬剤が選択的に集中することを利用して、特定の波長のレーザ光を薬剤が選択的に集中した血栓部に照射して、プラーク層などの血栓部を光化学反応によって、溶解し、除去することができる。
【００９４】
光感受性薬とレーザ光の波長との関係は、第１の実施の形態における説明と同様である。
【００９５】
光線力学診断法（ＰＤＤ）を、光線力学療法（ＰＤＴ）と併用し、生体の管状組織の内壁に付着した血栓部を溶解し、除去することができることも第１の実施の形態における説明と同様である。
【００９６】
光感受性薬の投与量は、及びレーザ光のパワーレベルについても、第１の実施の形態における説明と同様である。
【００９７】
又、本発明の第４の実施の形態に係る光ファイバ２０によれば、スポット的な治療ではなく、血管の長手方向に沈積した（部分的ではなく、血管壁に沿って長目に分布しているという意味であり、以下、本発明において共通）プラーク等の除去に有効であり、血管の長手方向に沿った治療を実現することができる。即ち、本発明の第４の実施の形態に係る光ファイバ２０を適用することによって、血管の最も狭窄（部分的ではなく、血管壁に沿って長目に分布しているという意味であり、以下、本発明において共通）の起きている部位を部分的に治療するのではなく、血管全体に起きている狭窄を予防することもできる。
【００９８】
このように、光ファイバの側面から漏れる光によって、血管壁に沿った治療ができることが重要である。
【００９９】
[第５の実施の形態]
本発明の第５の実施形態に係る光ファイバ２０は、図５に示すように表される。図５（ａ）は、図５（ｂ）のＩ―Ｉ線に沿う模式的断面構造図であり、図５（ｂ）は、模式的平面図を示す。
【０１００】
本発明の第５の実施形態に係る光ファイバ２０は、図５に示すように、生体内の管状組織に挿入可能な光ファイバ２０であって、ガラスコア層１１と、ガラスコア層１１を被覆する被覆コア層１２と、被覆コア層１２を被覆し、かつ光ファイバ２０の長手方向において螺旋状の開口部２３を備えるクラッド層１３とを備え、開口部２３の配置密度は、光ファイバ２０の入口部分において相対的に低く、入口部分から光ファイバ２０の長手方向において離隔するにしたがって増加する。
【０１０１】
本発明の第５の実施形態に係る光ファイバ２０においては、図５に示すように、開口部２３は、光ファイバ２０の長手方向において一定の幅Ｌ０を有する。
【０１０２】
又、本発明の第５の実施形態に係る光ファイバ２０においては、図５に示すように、光ファイバ２０の終端部には、反射ミラー１４が配置される。反射ミラー１４は、例えば、ニッケル（Ｎｉ）、クローム（Ｃｒ）、アルミニウム（Ａｌ）などの金属材料、又は多層膜を用いることができる。
【０１０３】
（屈折率分布）
本発明の第５の実施形態に係る光ファイバ２０において適用可能な屈折率ｎの分布は、第１の実施の形態と同様に、図１４（ａ）乃至図１４（ｃ）に示すように表される。また、各部の材料の選定及び屈折率ｎの値も第１の実施の形態と同様である。
【０１０４】
（光強度と開口部配置との関係）
本発明の第５の実施形態に係る光ファイバ２０おいても、光強度Ｐと長さＬとの関係は、本発明の第１の実施の形態に係る光ファイバ２０と同様に、図９中の点線で示すように表される。
【０１０５】
本発明の第５の実施形態に係る光ファイバ２０においても、開口部２３の配置密度は、光ファイバ２０の入口部分ＬＩにおいて相対的に低く、入口部分ＬＩから出口部分ＬＯに向けて光ファイバ２０の長手方向の長さＬの方向にシフトするにしたがって増加するため、光パワーＰ（Ｗ／ｃｍ）は急激には減衰せず、緩やかに減衰するか、実質的にほとんど平坦な出力特性が得られる。
【０１０６】
（光波長と薬剤との関係）
本発明の第５の実施の形態に係る光ファイバ２０も第１の実施の形態に係る光ファイバ２０と同様に、生体の管状組織に挿入することで、光線力学療法（ＰＤＴ）を適用して、生体の管状組織の内壁に付着した血栓部を溶解し、除去することができる。光感受性薬を生体が導入し、アテローマ、コレステロールなどが堆積した血栓部に光感受性薬の薬剤が選択的に集中することを利用して、特定の波長のレーザ光を薬剤が選択的に集中した血栓部に照射して、血栓部を光化学反応によって、溶解し、除去することができる。
【０１０７】
光感受性薬とレーザ光の波長との関係は、第１の実施の形態における説明と同様である。
【０１０８】
光線力学診断法（ＰＤＤ）を、光線力学療法（ＰＤＴ）と併用し、生体の管状組織の内壁に付着した血栓部を溶解し、除去することができることも第１の実施の形態における説明と同様である。
【０１０９】
光感受性薬の投与量は、及びレーザ光のパワーレベルについても、第１の実施の形態における説明と同様である。
【０１１０】
又、本発明の第５の実施の形態に係る光ファイバ２０によれば、スポット的な治療ではなく、血管の長手方向に沈積した（部分的ではなく、血管壁に沿って長目に分布しているという意味であり、以下、本発明において共通）プラーク等の除去に有効であり、血管の長手方向に沿った治療を実現することができる。即ち、本発明の第５の実施の形態に係る光ファイバ２０を適用することによって、血管の最も狭窄（部分的ではなく、血管壁に沿って長目に分布しているという意味であり、以下、本発明において共通）の起きている部位を部分的に治療するのではなく、血管全体に起きている狭窄を予防することもできる。
【０１１１】
このように、光ファイバの側面から漏れる光によって、血管壁に沿った治療ができることが重要である。
【０１１２】
[第６の実施の形態]
本発明の第６の実施形態に係る光ファイバ２０は、図６に示すように表される。図６（ａ）は、図６（ｂ）のＩ―Ｉ線に沿う模式的断面構造図であり、図６（ｂ）は、模式的平面図を示す。
【０１１３】
本発明の第６の実施形態に係る光ファイバ２０は、図６に示すように、生体内の管状組織に挿入可能な光ファイバ２０であって、ガラスコア層１１と、ガラスコア層１１を被覆する被覆コア層１２と、被覆コア層１２を被覆し、かつ光ファイバ２０の長手方向において螺旋状の溝開口部２４を備えるクラッド層１３とを備え、溝開口部２４の配置密度は、光ファイバ２０の入口部分において相対的に低く、入口部分から光ファイバ２０の長手方向において離隔するにしたがって増加する。
【０１１４】
又、本発明の第６の実施形態に係る光ファイバ２０においては、溝開口部２４は、図６に示すように、Ｖ字溝のノッチ形状を有する。
【０１１５】
又、本発明の第６の実施形態に係る光ファイバ２０においては、図６に示すように、光ファイバ２０の終端部には、反射ミラー１４が配置される。反射ミラー１４は、例えば、（Ｎｉ）、クローム（Ｃｒ）、アルミニウム（Ａｌ）などの金属材料、又は多層膜を用いることができる。
【０１１６】
（屈折率分布）
本発明の第６の実施形態に係る光ファイバ２０において適用可能な屈折率ｎの分布は、第１の実施の形態と同様に、図１４（ａ）乃至図１４（ｃ）に示すように表される。また、各部の材料の選定及び屈折率ｎの値も第１の実施の形態と同様である。
【０１１７】
（光強度と開口部配置との関係）
本発明の第６の実施形態に係る光ファイバ２０おいても、光強度Ｐと長さＬとの関係は、本発明の第１の実施の形態に係る光ファイバ２０と同様に、図９中の点線で示すように表される。
【０１１８】
本発明の第６の実施形態に係る光ファイバ２０においても、溝開口部２４の配置密度は、光ファイバ２０の入口部分ＬＩにおいて相対的に低く、入口部分ＬＩから出口部分ＬＯに向けて光ファイバ２０の長手方向の長さＬの方向にシフトするにしたがって増加するため、光パワーＰ（Ｗ／ｃｍ）は急激には減衰せず、緩やかに減衰するか、実質的にほとんど平坦な出力特性が得られる。
【０１１９】
（光波長と薬剤との関係）
本発明の第６の実施の形態に係る光ファイバ２０も第１の実施の形態に係る光ファイバ２０と同様に、生体の管状組織に挿入することで、光線力学療法（ＰＤＴ）を適用して、生体の管状組織の内壁に付着した血栓部を溶解し、除去することができる。光感受性薬を生体が導入し、アテローマ、コレステロールなどが堆積した血栓部に光感受性薬の薬剤が選択的に集中することを利用して、特定の波長のレーザ光を薬剤が選択的に集中した血栓部に照射して、血栓部を光化学反応によって、溶解し、除去することができる。
【０１２０】
光感受性薬とレーザ光の波長との関係は、第１の実施の形態における説明と同様である。
【０１２１】
光線力学診断法（ＰＤＤ）を、光線力学療法（ＰＤＴ）と併用し、生体の管状組織の内壁に付着した血栓部を溶解し、除去することができることも第１の実施の形態における説明と同様である。
【０１２２】
光感受性薬の投与量は、及びレーザ光のパワーレベルについても、第１の実施の形態における説明と同様である。
【０１２３】
又、本発明の第６の実施の形態に係る光ファイバ２０によれば、スポット的な治療ではなく、血管の長手方向に沈積した（部分的ではなく、血管壁に沿って長目に分布しているという意味であり、以下、本発明において共通）プラーク等の除去に有効であり、血管の長手方向に沿った治療を実現することができる。即ち、本発明の第６の実施の形態に係る光ファイバ２０を適用することによって、血管の最も狭窄（部分的ではなく、血管壁に沿って長目に分布しているという意味であり、以下、本発明において共通）の起きている部位を部分的に治療するのではなく、血管全体に起きている狭窄を予防することもできる。
【０１２４】
このように、光ファイバの側面から漏れる光によって、血管壁に沿った治療ができることが重要である。
【０１２５】
[第７の実施の形態]
図１１は、本発明の第１乃至第６の実施の形態に係る光ファイバ２０を適用する本発明の第７の実施の形態に係る光ファイバ装置２６の模式的構成図を示す。図１１においては、光ファイバ２０の開口部の詳細な構成は、本発明の第１乃至第６の実施の形態に係る光ファイバ２０と同様であるため、図示を省略している。
【０１２６】
本発明の第７の実施の形態に係る光ファイバ装置２６は、レーザ光源１９と、レーザ光源１９に接続され,本発明の第１乃至第６の実施の形態に係る光ファイバ２０と、光ファイバ２０に隣接配置されるガイドワイヤ１８と、光ファイバ２０を挿入するカテーテル１７とを備える。
【０１２７】
本発明の第７の実施の形態に係る光ファイバ装置２６において、光ファイバ２０に隣接配置されるガイドワイヤ１８は、光ファイバ２０を挿入するカテーテル１７内に挿入されていてもよい。
【０１２８】
本発明の第７の実施の形態に係る光ファイバ装置２６は、装置全体の構成は簡単であり、レーザ光源も半導体レーザなどを適用することによって、軽量・小型化が容易である。
【０１２９】
本発明の第７の実施の形態に係る光ファイバ装置２６を利用する心臓カテーテル手術又は検査は、図１２に示すように模式的に表される。レーザ光源１９に接続された光ファイバ２０を大腿動脈４８から挿入し、腹部大動脈４４を介して心臓５０内に達させている。同様に、レーザ光源１９に接続された光ファイバ２０を橈骨動脈４６或いは肘部動脈５２から挿入し、心臓５０内に達させる場合もある。
【０１３０】
本発明の第７の実施の形態に係る光ファイバ装置２６を利用する心臓カテーテル手術又は検査において、心臓の冠状動脈部位に本発明の第１乃至第６の実施の形態に係る光ファイバを挿入した様子は、図１３（ａ）に示すように模式的に表される。図１３（ｂ）は、図１３（ａ）のＡの部分の拡大図であり、図１３（ｃ）は、図１３（ａ）のＢの部分の拡大図である。
【０１３１】
図１３（ａ）に示すように、心臓５０近傍の大動脈３６を介して心臓５０内に到達した光ファイバ２０は、例えば、右冠動脈３０、左冠動脈前下行枝３２或いは左冠動脈回施枝４２内に挿入される。図１３（ｂ）は、右冠動脈３０内に光ファイバ２０が挿入される例を示している。図１３（ｃ）は、左冠動脈前下行枝３２内に光ファイバ２０が挿入される例を示している。又、用途の応じて、大静脈３４、肺静脈３８、或いは肺動脈４０内に光ファイバ２０を挿入する場合もある。
【０１３２】
上記の説明においては、本発明の第１乃至第６の実施の形態に係る光ファイバ２０を適用する場合を例として説明したが、図１５乃至図１９に示すように、後述する本発明の第８の実施の形態に係るバンドルファイバ２２を適用することもできる。
【０１３３】
又、本発明の第７の実施の形態に係る光ファイバ装置２６によれば、スポット的な治療ではなく、血管の長手方向に沈積した（部分的ではなく、血管壁に沿って長目に分布しているという意味であり、以下、本発明において共通）プラーク等の除去に有効であり、血管の長手方向に沿った治療を実現することができる。即ち、本発明の第７の実施の形態に係光ファイバ装置２６を適用することによって、血管の最も狭窄（部分的ではなく、血管壁に沿って長目に分布しているという意味であり、以下、本発明において共通）の起きている部位を部分的に治療するのではなく、血管全体に起きている狭窄を予防することもできる。
【０１３４】
このように、光ファイバの側面から漏れる光によって、血管壁に沿った治療ができることが重要である。
【０１３５】
[第８の実施の形態]
図１５は、本発明の第８の実施の形態に係る光ファイバであって、本発明の第３の実施の形態において示した光ファイバ２０をバンドルファイバに構成した模式的断面構造図を示す。又、図１６は、本発明の第８の実施の形態に係る光ファイバの変形例を示す。又、図１７は、本発明の第８の実施の形態に係る光ファイバであって、本発明の第３の実施形態に示した光ファイバ２０をバンドルファイバに構成した模式的平面図を示す。図１５及び図１６は、いずれも図１７のＩ−Ｉ線に沿う模式的断面構造図に対応している。図１６に示す本発明の第８の実施の形態の変形例に係る光ファイバにおいても、模式的平面図は図１７と同様に示される。
【０１３６】
図１８は、図１５に示すバンドルファイバ２２を生体の管状組織１５の液体媒質６０中に挿入した状態を説明する模式的断面構造図を示す。又、図１９は、図１６に示すバンドルファイバ２２を生体の管状組織１５の液体媒質６０中に挿入した状態を説明する模式的断面構造図を示す。ここで、液体媒質６０は例えば血液などである。
【０１３７】
本発明の第８の実施の形態に係る光ファイバはバンドルファイバ２２を構成するものであり、図１５に示すように、生体内の管状組織に挿入可能な複数の光ファイバからなり、各々の光ファイバは、ガラスコア層１１と、ガラスコア層１１を被覆する被覆コア層１２と、被覆コア層１２を被覆し、光ファイバの長手方向において一定幅を有する複数の開口部２３を備えるクラッド層１３とを備え、開口部２３の配置密度は、光ファイバの入口部分において相対的に低く、入口部分から光ファイバの長手方向において離隔するにしたがって増加し、かつ各々の光ファイバは、互いに接着層２５を介して接着され、バンドル化されている。
【０１３８】
本発明の第８の実施の形態に係るバンドルファイバ２２を構成する各個別の光ファイバは、本発明の第３の実施形態に係る光ファイバ２０に限定されることはなく、本発明の第１乃至第６の実施の形態において説明した光ファイバ２０をすべて適用可能である。更に、用途に応じては、第１乃至第６の実施の形態において説明した複数種類の光ファイバ２０を組み合わせても良い。
【０１３９】
本発明の第８の実施の形態の変形例に係る光ファイバは、図１６に示すように、複数本の光ファイバの中心部の空洞部６２にガイドワイヤ１８を備える。図１６の構成を採用することによって、ガイドワイヤ１８を複数本の光ファイバの外部に別個に配置する必要がなくなり、光ファイバ及び光ファイバ装置の省スペース化、コンパクト化を促進することができる。
【０１４０】
又、本発明の第８の実施形態及び変形例に係る光ファイバにおいて、各個別の光ファイバの開口部２３は、リング状、螺旋状、Ｖ字溝のノッチ形状を備えていてもよい。
【０１４１】
又、本発明の第８の実施形態及び変形例に係る光ファイバにおいては、図１７に示すように、バンドルファイバ２２の終端部には、反射ミラー１４が配置される。反射ミラー１４は、例えば、ニッケル（Ｎｉ）、クローム（Ｃｒ）、アルミニウム（Ａｌ）などの金属材料、又は多層膜を用いることができる。
【０１４２】
また、図１７に示す例では、各光ファイバ２０の開口部２３の位置はバンドルファイバ２２として構成される際、揃って配置されているが、必ずしも開口部２３の位置を揃える必要はなく、ずらして配置されていてもよい。
【０１４３】
尚、本発明の第８の実施の形態に示すバンドルファイバ２２の直径は、約０．１〜数ｍｍ程度であり、望ましくは、０．１ｍｍ〜１ｍｍ程度であり、バンドル本数及び適用する生体の管状組織の内径に応じて、選択される。例えば、本発明の第８の実施の形態に適用するバンドルファイバにおいて、各個別の光ファイバの直径が、ガラスコア層１１，被覆コア層１２及びクラッド層１３を含め、約０．１ｍｍの場合、図１５に示すように、バンドル本数が７であれば、バンドルファイバの直径は、０．２〜０．４ｍｍ程度となる。ガラスコア層１１の代りにプラスティックコア層２１を使用した場合には、更に細く形成可能であり、バンドル化した場合にも約０．１ｍｍ以下とすることも可能であり、適用する生体の管状組織の内径、適用する管状組織の長さ、光パワーレベルの値に応じて、選択することができる。
【０１４４】
（屈折率分布）
本発明の第８の実施形態及びその変形例に示すバンドルファイバ２２においても、各個別の光ファイバ２０において適用可能な屈折率ｎの分布は、第１の実施の形態と同様に、図１４（ａ）乃至図１４（ｃ）に示すように表される。また、各部の材料の選定及び屈折率ｎの値も第１の実施の形態と同様である。
【０１４５】
（光強度と開口部配置との関係）
本発明の第８の実施形態及びその変形例に示すバンドルファイバ２２においても、各個別の光ファイバ２０は、図１７に示すように、開口部２３の配置密度は、光ファイバの入口部分ＬＩにおいて相対的に低く、入口部分ＬＩから出口部分ＬＯに向けて光ファイバの長手方向の長さＬの方向にシフトするにしたがって増加するため、光パワーＰ（Ｗ／ｃｍ）は急激には減衰せず、緩やかに減衰するか、実質的にほとんど平坦な出力特性が得られる。したがって、光強度Ｐと長さＬとの関係は、本発明の第１の実施の形態に係る光ファイバと同様に、図９中の点線で示す特性と同様の特性が得られる。バンドル化されていることから、光ファイバの本数に応じて、光強度Ｐは、例えば数倍〜数十倍程度大きくなる。
【０１４６】
（光波長と薬剤との関係）
本発明の第８の実施の形態及びその変形例に係る光ファイバも第１の実施の形態に係る光ファイバと同様、図１８及び図１９に示すように、生体の管状組織１５に挿入することで、光線力学療法（ＰＤＴ）を適用して、生体の管状組織１５の内壁に付着した血栓部１６を溶解し、除去することができる。
【０１４７】
光感受性薬とレーザ光の波長との関係は、第１の実施の形態における説明と同様である。
【０１４８】
光線力学診断法（ＰＤＤ）を、光線力学療法（ＰＤＴ）と併用し、血栓部１６を溶解し、除去することができることも第１の実施の形態における説明と同様である。
【０１４９】
光感受性薬の投与量は、及びレーザ光のパワーレベルについても、第１の実施の形態における説明と同様である。
【０１５０】
本発明の第８の実施形態に係る光ファイバにおいては、光パワーＰ（Ｗ／ｃｍ）と長さＬとの関係は、緩やかに減衰するか、実質的にほとんど平坦な出力特性が得られるため、管状組織１５の長さが、例えば心臓の冠状動脈の長さである約２０〜３０ｃｍ程度であっても、開口部２３を有する光ファイバ部分の長さＬを例えば、２０〜３０ｃｍ程度に調整することによって、冠状動脈の全体に光線力学療法（ＰＤＴ）を適用して、冠状動脈の内壁に付着した血栓部１６などを溶解し、除去することができる。
【０１５１】
本発明の第８の実施形態に示すバンドルファイバ２２が適用される管状組織１５は、血管、膵管、胆管、気管、乳腺、乳管、尿管などである。
【０１５２】
又、本発明の第８の実施の形態に係るバンドルファイバ２２によれば、スポット的な治療ではなく、血管の長手方向に沈積した（部分的ではなく、血管壁に沿って長目に分布しているという意味であり、以下、本発明において共通）プラーク等の除去に有効であり、血管の長手方向に沿った治療を実現することができる。即ち、本発明の第８の実施の形態に係るバンドルファイバ２２を適用することによって、血管の最も狭窄（部分的ではなく、血管壁に沿って長目に分布しているという意味であり、以下、本発明において共通）の起きている部位を部分的に治療するのではなく、血管全体に起きている狭窄を予防することもできる。
【０１５３】
このように、光ファイバの側面から漏れる光によって、血管壁に沿った治療ができることが重要である。
【０１５４】
[その他の実施の形態]
上記のように、本発明は第１乃至第８の実施の形態によって記載したが、この開示の一部をなす論述及び図面はこの発明を限定するものであると理解すべきではない。
【０１５５】
また、光ファイバは、生体内の管状組織に挿入可能な外径を有しており、少なくと１層のコア層を備えており、上記各実施形態のコア層構成数には限定されない。
【０１５６】
同様に、少なくとも１層のクラッドを備えており、上記各実施形態のクラッド層構成数には限定されない。さらに、血管などの管状組織へ挿入される光ファイバの先端部のみに開口部を形成しても良いし、光ファイバ全体長に渉り開口部を形成することもでできる。
【０１５７】
さらにまた、開口部の大きさは肉眼で目視可能な程度から各種顕微鏡にて確認できる程度の各種大きさのものが含まれる。
【０１５８】
なおまたさらに、光ファイバ材料として、上記実施形態ではコアに石英ガラスを用いているが、必要とする光強度によっては高分子系材料のコアとすることも可能である。
【０１５９】
この開示から当業者には様々な代替実施の形態、実施例及び運用技術が明らかとなろう。
【０１６０】
このように、本発明はここでは記載していない様々な実施の形態などを含むことは勿論である。したがって、本発明の技術的範囲は上記の説明から妥当な特許請求の範囲に係る発明特定事項によってのみ定められるものである。
【図面の簡単な説明】
【０１６１】
【図１】本発明の第１の実施形態に係る光ファイバであって、（ａ）（ｂ）のＩ―Ｉ線に沿う模式的断面構造図、（ｂ）模式的平面図、（ｃ）（ａ）のＩＩ−ＩＩ線に沿う模式的断面構造図、（ｄ）（ａ）のＩＩＩ−ＩＩＩ線に沿う模式的断面構造図。
【図２】本発明の第２の実施形態に係る光ファイバであって、（ａ）（ｂ）のＩ―Ｉ線に沿う模式的断面構造図、（ｂ）模式的平面図、（ｃ）（ａ）のＩＩ−ＩＩ線に沿う模式的断面構造図、（ｄ）（ａ）のＩＩＩ−ＩＩＩ線に沿う模式的断面構造図。
【図３】本発明の第３の実施形態に係る光ファイバであって、（ａ）（ｂ）のＩ―Ｉ線に沿う模式的断面構造図、（ｂ）模式的平面図、（ｃ）（ａ）のＩＩ−ＩＩ線に沿う模式的断面構造図、（ｄ）（ａ）のＩＩＩ−ＩＩＩ線に沿う模式的断面構造図。
【図４】本発明の第４の実施形態に係る光ファイバであって、（ａ）（ｂ）のＩ―Ｉ線に沿う模式的断面構造図、（ｂ）模式的平面図、（ｃ）（ａ）のＩＩ−ＩＩ線に沿う模式的断面構造図、（ｄ）（ａ）のＩＩＩ−ＩＩＩ線に沿う模式的断面構造図。
【図５】本発明の第５の実施形態に係る光ファイバであって、（ａ）（ｂ）のＩ―Ｉ線に沿う模式的断面構造図、（ｂ）模式的平面図。
【図６】本発明の第６の実施形態に係る光ファイバであって、（ａ）（ｂ）のＩ―Ｉ線に沿う模式的断面構造図、（ｂ）模式的平面図。
【図７】本発明の第２の実施形態に係る光ファイバを生体の管状組織に挿入した状態を説明する模式的断面構造図。
【図８】図７のＩ−Ｉ線に沿う模式的断面構造図。
【図９】本発明の第１の実施形態に係る光ファイバと比較例に係る光ファイバにおいて、光強度Ｐと、長さＬとの関係を示す模式図。
【図１０】（ａ）本発明の第１の実施形態に係る光ファイバの模式的断面構造図、（ｂ）比較例に係る光ファイバの模式的断面構造図。
【図１１】本発明の第１乃至第６の実施の形態に係る光ファイバを適用する本発明の第７の実施の形態に係る光ファイバ装置の模式的構成図。
【図１２】本発明の第７の実施の形態に係る光ファイバ装置を利用する心臓カテーテル手術又は検査の様子を説明する模式図。
【図１３】本発明の第７の実施の形態に係る光ファイバ装置を利用する心臓カテーテル手術又は検査において、（ａ）心臓の冠状動脈部位に本発明の第１乃至第６の実施の形態に係る光ファイバを挿入した様子を説明する図、（ｂ）Ａの部分の拡大図、（ｃ）Ｂの部分の拡大図。
【図１４】本発明の第１乃至第６の実施の形態に係る光ファイバの屈折率分布例であって、（ａ）ガラスコア層の屈折率ｎ０に対して、被覆コア層の屈折率ｎ１が高い例、（ｂ）ガラスコア層の屈折率ｎ０に対して、被覆コア層の屈折率ｎ１が低い例、（ｃ）プラスティックコア層の屈折率ｎ３がフラットな例。
【図１５】本発明の第８の実施の形態に係る光ファイバであって、本発明の第３の実施の形態に係る光ファイバをバンドルファイバに構成した図１７のＩ−Ｉ線に沿う模式的断面構造図。
【図１６】本発明の第８の実施の形態の変形例に係る光ファイバの模式的断面構造図。
【図１７】本発明の第８の実施の形態に係る光ファイバであって、本発明の第３の実施形態に係る光ファイバをバンドルファイバに構成した模式的平面図。
【図１８】図１５に示すバンドルファイバを生体の管状組織に挿入した状態を説明する模式的断面構造図。
【図１９】図１６に示すバンドルファイバを生体の管状組織に挿入した状態を説明する模式的断面構造図。
【符号の説明】
【０１６２】
１１…ガラスコア層
１２…被覆コア層
１３…クラッド層
１４…反射ミラー
１５…管状組織
１６…血栓部
１７…カテーテル
１８…ガイドワイヤ
１９…レーザ光源
２０…光ファイバ
２１…プラスティックコア層
２２…バンドルファイバ
２３…開口部
２４…溝開口部
２５…接着層
２６…光ファイバ装置
【図１】
2008194084.tif 000003
【図２】
2008194084.tif 000004
【図３】
2008194084.tif 000005
【図４】
2008194084.tif 000006
【図５】
2008194084.tif 000007
【図６】
2008194084.tif 000008
【図７】
2008194084.tif 000009
【図８】
2008194084.tif 000010
【図９】
2008194084.tif 000011
【図１０】
2008194084.tif 000012
【図１１】
2008194084.tif 000013
【図１２】
2008194084.tif 000014
【図１３】
2008194084.tif 000015
【図１４】
2008194084.tif 000016
【図１５】
2008194084.tif 000017
【図１６】
2008194084.tif 000018
【図１７】
2008194084.tif 000019
【図１８】
2008194084.tif 000020
【図１９】
2008194084.tif 000021